(57)【要約】【課題】販売条件付商品を販売できない状態のときに販売条件付商品が商品購入者の目に付くことを防止し、かつ、商品購入者が商品を手にすることを防止することができる商品陳列棚装置および商品遮蔽装置を提供する。【解決手段】商品を陳列して販売するための商品陳列棚装置１、３０１であって、陳列した商品が前方から視認可能であり、かつ商品陳列部分前面を覆って陳列商品を自由に取り出し不可能に構成された陳列ケース１０、３１０を備える一方、陳列ケース１０、３１０の側方位置に配設され、陳列ケース１０、３１０側方位置から前方位置に移動することによって陳列ケース１０、３１０の前方を覆い、前方から陳列商品が視認不可能とする遮蔽部材２５、３２５を有する商品遮蔽部２２、３２２を備えた。【選択図】図２
2011067272.tif 000002
【特許請求の範囲】
【請求項１】
商品を陳列して販売するための商品陳列棚装置であって、
陳列した商品が前方から視認可能であり、かつ商品陳列部前面を覆って陳列商品を自由に取り出し不可能に構成された陳列ケースを備える一方、
前記陳列ケースの側方位置に配設され、前記陳列ケース側方位置から前方位置に移動することによって前記陳列ケースの前面を覆い、前方から陳列商品が視認不可能とする遮蔽部材を有する商品遮蔽部を備えたことを特徴とする商品陳列棚装置。
【請求項２】
前記遮蔽部材は、前記陳列ケースの側方からスライドして移動するスライドパネルであることを特徴とする請求項１に記載の商品陳列棚装置。
【請求項３】
前記陳列ケース前面に移動前の状態におけるスライドパネルの前方位置に、他の商品を陳列可能な固定商品棚を設けたことを特徴とする請求項２に記載の商品陳列棚装置。
【請求項４】
前記遮蔽部材は、前記陳列ケースの側部から蝶番によって回動して移動する回動パネルであることを特徴とする請求項１に記載の商品陳列棚装置。
【請求項５】
前記遮蔽部材には、前記遮蔽部材が前記陳列ケース前面に移動した状態で前記遮蔽部材の前面に、商品の販売を制限する旨の注意喚起表示が記載されていることを特徴とする請求項１から請求項４のいずれか１つに記載の商品陳列棚装置。
【請求項６】
前記遮蔽部材は、他の商品が陳列可能であり、前記陳列ケースの側方からスライドして移動する可動商品棚であることを特徴とする請求項１に記載の商品陳列棚装置。
【請求項７】
陳列する商品の販売を制限するための商品遮蔽装置であって、
陳列した商品が前方から視認可能であり、かつ商品陳列部前面を覆って陳列商品を自由に取り出し不可能に構成された陳列ケースの側方に配置され、
前記陳列ケース側方位置から前方位置に移動することによって前記陳列ケースの前面を覆い、前方から陳列商品が視認不可能とする遮蔽部材を備えたことを特徴とする商品遮蔽装置。
【発明の詳細な説明】
【技術分野】
【０００１】
本発明は、店舗等の商品陳列エリアに設置され、商品購入者に対して商品を載置・陳列するために使用される商品陳列棚装置に関し、特に、特定の商品を場合に応じて覆うことができる商品陳列棚装置及び商品遮蔽装置に関するものである。
【背景技術】
【０００２】
店舗等の商品陳列エリアに設置され、商品購入者に対して商品を載置・陳列するための商品陳列棚装置が知られている。この商品陳列棚装置に陳列される商品の中には、法令・政令・条例等の定めによって商品の販売条件が規制されている販売条件付商品が存在する。この販売条件としては、例えば、「商品購入者年齢の制限」や「販売資格所有者の有無」等がある。
【０００３】
これらの販売条件付商品の中でも、２００９年度に改正された薬事法によって規制される一般医薬品は、３種類（第一、第二、第三類医薬品）に分類される。そして、この第一類医薬品は、薬剤師のみが販売でき、第二類及び第三類医薬品は、薬剤師の他に登録販売者が販売することができるように規定されている。そのため、商品購入者は、それぞれの医薬品の購入の際に混乱をきたすおそれがあり、販売者としては、商品購入者に対して商品と分類とが分かり易い状態で商品販売空間を提供することが求められている。
【０００４】
従来では、販売者は、販売条件付商品を商品購入者が直接手に取れない位置（例えば、鍵付きガラス棚、レジカウンター内後部の棚）に保管し、薬剤師等が不在のときには商品を販売しないようにする方法が多く採用されている。しかしながら、この方法では、商品が購入者の目に付いてしまうため、販売員が商品購入者に対して別途説明を行い、商品購入者の理解を得る必要があった。
【０００５】
他方、従来から販売条件付商品を陳列するための商品陳列棚装置についての提案がなされている。例えば、商品を載置した商品陳列棚にカバー装置を設け、販売不可能なときには、商品陳列棚をカバーで覆い隠し、商品が購入者の目に付くことを防止するものがある（例えば、特許文献１、２参照）。
【先行技術文献】
【特許文献】
【０００６】
【特許文献１】特開２００８−２００２３９号公報
【特許文献２】特開２００６−２１２３０４号公報
【発明の開示】
【発明が解決しようとする課題】
【０００７】
しかしながら、上述したカバー装置は、多重に巻き取られた状態のスクリーンを引き出して商品棚に掛けることで商品を覆うようなものであり、商品購入者の目に付くことは防止できるが、カバーを捲り上げる等によって商品を手に取ることができるものであったため、商品購入者が商品を手にすることを完全に防止することはできなかった。
【０００８】
本発明は、上述した事情を鑑みてなされたものであり、販売条件付商品を販売できない状態のときに販売条件付商品が商品購入者の目に付くことを防止し、かつ、商品購入者が商品を手に取ることを防止することができる商品陳列棚装置および商品遮蔽装置を提供するためのものである。
【課題を解決するための手段】
【０００９】
上述課題を解決するために、本発明は、商品を陳列して販売するための商品陳列棚装置であって、陳列した商品が前方から視認可能であり、かつ商品陳列部前面を覆って陳列商品を自由に取り出し不可能に構成された陳列ケースを備える一方、前記陳列ケースの側方位置に配設され、前記陳列ケース側方位置から前方位置に移動することによって前記陳列ケースの前面を覆い、前方から陳列商品が視認不可能とする遮蔽部材を有する商品遮蔽部を備えたことを特徴とする。
【００１０】
この場合において、前記遮蔽部材は、前記陳列ケースの側方からスライドして移動するスライドパネルであってもよい。
【００１１】
このとき、前記陳列ケース前面に移動前の状態におけるスライドパネルの前方位置に、他の商品を陳列可能な固定商品棚を設けることもできる。
【００１２】
また、前記遮蔽部材は、前記陳列ケースの側部から蝶番によって回動して移動する回動パネルであってもよい。
【００１３】
さらに、前記遮蔽部材には、前記遮蔽部材が前記陳列ケース前面に移動した状態で前記遮蔽部材の前面に、商品の販売を制限する旨の注意喚起表示が記載されているようにすることもできる。
【００１４】
さらにまた、前記遮蔽部材は、他の商品が陳列可能であり、前記陳列ケースの側方からスライドして移動する可動商品棚であってもよい。
【００１５】
一方、本発明は、陳列する商品の販売を制限するための商品遮蔽装置であって、陳列した商品が前方から視認可能であり、かつ商品陳列部前面を覆って陳列商品を自由に取り出し不可能に構成された陳列ケースの側方に配置され、前記陳列ケース側方位置から前方位置に移動することによって前記陳列ケースの前面を覆い、前方から陳列商品が視認不可能とする遮蔽部材を備えたことを特徴とする。
【発明の効果】
【００１６】
本発明に係る商品陳列棚装置によれば、陳列した商品が前方から視認可能であり、かつ商品陳列部前面を覆って陳列商品を自由に取り出し不可能に構成された陳列ケースを備える一方、前記陳列ケースの側方位置に配設され、前記陳列ケース側方位置から前方位置に移動することによって前記陳列ケースの前面を覆い、前方から陳列商品が視認不可能とする遮蔽部材を有する商品遮蔽部を備えているので、遮蔽部材が移動していない状態では、購入者は、陳列ケースの前方から商品を目視することができ、販売員等に相談して商品を購入することができる。一方、遮蔽部材が移動している状態では、購入者は、遮蔽部材によって商品を目視することができず、かつ、陳列ケースの構造によって商品を手に取ることができないので、購入者が商品を購入することができないようにすることができる。
【００１７】
一方、本発明に係る商品遮蔽装置によれば、陳列した商品が前方から視認可能であり、かつ商品陳列部前面を覆って陳列商品を自由に取り出し不可能に構成された陳列ケースの側方に配置され、前記陳列ケース側方位置から前方位置に移動することによって前記陳列ケースの前面を覆い、前方から陳列商品が視認不可能とする遮蔽部材を備えているので、既存の陳列ケースの横に商品遮蔽装置を設置して、遮蔽部材を移動させることによって、購入者が商品を購入するのを制限することができる。
【図面の簡単な説明】
【００１８】
【図１】本発明の第１の実施の形態に係る商品陳列棚装置であって、商品遮蔽部が開いている状態を示す外観図である。
【図２】図１の状態から商品遮蔽部を閉じた状態を示す外観図である。
【図３】商品遮蔽部の分解斜視図である。
【図４】第１実施形態の第１変形例に係る商品陳列棚装置及び商品遮蔽装置の概要図である。
【図５】第１実施例の第２変形例に係る商品陳列棚装置及び商品遮蔽装置の概要図である。
【図６】本発明の第２の実施の形態に係る商品陳列棚装置であって、商品遮蔽部が開いている状態を示す外観図である。
【発明を実施するための形態】
【００１９】
［第１実施形態］
以下、本発明の第１の実施の形態に係る商品陳列棚装置１及び商品遮蔽装置２２について、図１〜図３を用いて詳細に説明する。
商品陳列棚装置１は、図１及び図２に示すように、第一類医薬品等の販売条件付商品を陳列するための陳列ケース１０と、商品購入者から見て陳列ケース１０の左右両側に配置されたサイドケース２０ａ、２０ｂとで構成されている。
【００２０】
陳列ケース１０は、陳列ケース１０の筐体部分を構成する略直方体形状の本体部１１と、商品購入者と対峙する前側部分が透明な開閉扉１２とを備えている。
本体部１１は、その内部に陳列スペース１３（陳列部分）が形成されている。この陳列スペース１３には、空間を上下に仕切るガラス棚１４が設けられている。このガラス棚１４の上には商品が陳列され、この商品の陳列部分が開閉扉１２によって覆われることになる。
【００２１】
また、陳列ケース１０の後側は、薬剤師や販売員が待機する場所となっており、基本的に購入者が入り込めないようになっている。さらに、本体部１１の上面１１ａは平面状に形成されており、商品購入者が販売者から商品説明を受けるときなどに利用するレジカウンターとして使用可能である。
【００２２】
開閉扉１２は、２枚の透明なガラス板が左右にスライドして開閉可能に形成されている。これにより、商品購入者が陳列スペース１３内に陳列された商品を視覚的に確認できるようになっている。また、開閉扉１２は、鍵１５によって施錠が可能になっている。この鍵１５は、通常は施錠されており、商品購入者が開閉扉１２を開けて陳列ケース１０内から商品を勝手に取り出すことができないようになっている。
【００２３】
なお、本明細書でいう「陳列ケース」とは、購入者が商品を自由に見ることができるが、商品を自由に取り出せない構造のものをいい、上述した陳列ケース１０の構造は、本実施例における一例である。すなわち、開閉扉１２及び鍵１５は、陳列した商品が購入者から目視可能に形成され、かつ、購入者がこれらの商品を取り出せないようにするための構造の一例であり、他の構造によって実現することもできる。例えば、購入者が対峙する前側部分を開閉不可能な１枚のガラス板で構成すると共に、薬剤師等が待機する陳列ケース１０の後側からのみ商品を取り出せるようにするものであっても構わない。この場合には、上述した鍵１５は陳列ケース１０の前側部分に設ける必要はない。
【００２４】
また、上述した透明な開閉扉１２の前面には、図１に示すように、商品購入者に対して、注意を喚起するための注意喚起表示６０が付されている。この注意喚起表示６０は、例えば、「こちらの医薬品をお買い求めの際は、お近くの薬剤師までご相談下さい。」などの文言を表示するものである。これにより、購入者は、商品を購入するに当たり、薬剤師に相談すべきことを認識することになる。
【００２５】
サイドケース２０ａ，２０ｂは、陳列ケース１０を挟んで左右対称に形成されている。なお、以下の説明については、左側のサイドケース２０ａについてのみ説明し、右側のサイドケース２０ｂについては左側と同じ構造であるため説明を省略する。
【００２６】
サイドケース２０ａは、略直方体形状の本体部２１と、この本体部２１の前側部分に取り付けられた商品遮蔽装置２２（商品遮蔽部）とを備えている。
本体部２１の上面２１ａは、陳列ケース１０の本体部１１と同様に平面状に形成されており、レジカウンター等として使用可能である。また上面２１ａには、レジやパソコン画面などが購入者側から見えないようにするための半透明のカバー２３が設けられている。
【００２７】
図３は、商品遮蔽装置２２を分解して示す斜視図である。
商品遮蔽装置２２は、本体部２１の前面に固定される固定パネル２４と、この固定パネル２４に対しスライド可能に取り付けられたスライドパネル２５（遮蔽部材）と、固定パネル２４の前側（商品購入者と対峙する側）に取り付けられるフロントパネル２６と、固定パネル２４前面に取り付けられる棚板２７と、固定パネル２４の左右の側部をそれぞれに塞ぐ目隠し板２８とを備えている。
【００２８】
スライドパネル２５は、不透明な板状部材で構成されている。また、スライドパネル２５の上端部及び下端部には、横方向に向けて伸縮するスライドレール２５ａがそれぞれ設けられている。一方、固定パネル２４の上端部及び下端部には、２つのスライドレール２５ａとそれぞれ対応する位置にスライドレール受け２４ａがそれぞれ設けられている。これらのスライドレール受け２４ａには、スライドレール２５ａがそれぞれ挿入されると共に、左側端部がスライドレール受け２４ａに固定されている。この構造により、スライドパネル２５は、スライドレール２５ａが伸縮することによって、固定パネル２４に対して横方向（図３における右側方向）にスライドすることができるようになっている。
【００２９】
このスライドパネル２５をスライドさせた状態では、図２に示すように、陳列ケース１０の前側の全面を覆うようになる。すなわち、スライドパネル２５がスライドしていない状態（図１参照）では、商品購入者は陳列ケース１０内の商品を目視することができる一方、スライドパネル２５がスライドした状態（図２参照）では、商品購入者は、陳列ケース１０内の商品を目視することができないようになる。
【００３０】
スライドパネル２５の前面、すなわち、このスライドパネル２５をスライドさせたときに商品購入者が目視できる面には、図２に示すように、商品購入者に対して、注意を喚起するための注意喚起表示５０が付されている。この注意喚起表示５０は、例えば、「只今薬剤師不在の為、こちらの医薬品は現在販売休止中です。」などの文言を表示するものである。
【００３１】
図３に戻って、フロントパネル２６は、固定パネル２４の前側の全面を覆う大きさに形成されている。このフロントパネル２６は、固定パネル２４にねじ部材２９を用いて取り付けられることによって、スライドパネル２５が商品購入者側から見えないようにしている。
２つの目隠し板２８も同様に、固定パネル２４の側面に、ねじ部材３０を用いて取り付けられている。
【００３２】
棚板２７は、左右の両端部にフック２７ａがそれぞれ形成されており、このフック２７ａを固定パネル２４前面に形成された図示しない取付穴に係合させることによって、複数の棚板２７が固定パネル２４前面に取り付けられるようになっている。この固定パネル２４前面に取り付けられた棚板２７によって、他の商品を陳列可能な固定商品棚３１が構成されている。
【００３３】
この商品遮蔽装置２２は、サイドケース２０ａの本体部２１の前面に着脱可能に取り付けられている。この商品遮蔽装置２２を取り外した状態では、商品購入者からは本体部２１の前面（例えば、化粧パネルで構成された前面）が見えるようになる。
このように、商品遮蔽装置２２をサイドケース２０ａと着脱可能に構成することにより、例えば、既に商店等に設置してある既存の陳列ケース１０の横に商品遮蔽装置２２を有するサイドケース２０ａを設置するだけで、本発明の実施形態に係る商品棚陳列装置１を構成することができるようになる。また、陳列ケース１０およびサイドケース２０ａが既に設置してある商店等では、サイドケース２０ａに商品遮蔽装置２２を設置するだけで、本発明の実施形態に係る商品棚陳列装置１を構成することができるようになる。
【００３４】
また、商品遮蔽装置２２からスライドパネル２５がスライドした状態では、上述した陳列ケース１０の左半分を覆われるようになる。そして、陳列ケース１０の右半分は、右側のサイドケース２０ｂからスライドしてくるスライドパネル２５によって覆われるようになる。左右のスライドパネル２５，２５の移動方向における先端部分は、陳列ケース１０のほぼ中央でそれぞれ隙間なく当接する。
【００３５】
なお、左側または右側のスライドパネル２５については、商品遮蔽装置２２の設置スペース等が十分に確保することができれば、片方のスライドパネル２５で陳列ケース１０の前側の全面を覆う大きさに形成することもできる。
【００３６】
本発明の第１の実施の形態に係る商品陳列棚装置１によれば、商品の陳列部分を開閉可能な開閉扉１２で覆い、この開閉扉１２を通して陳列した商品が購入者から目視可能に形成され、かつ、購入者がこれらの商品を取り出せないように鍵１５によって施錠できるように構成された陳列ケース１０を備える一方、陳列した商品が購入者から目視できないようにスライドパネル２５が陳列ケース１０の側方からスライド移動して陳列ケース１０を覆うスライドパネル２５を有する商品遮蔽装置２２を備えているので、スライドパネル２５が移動していない（陳列ケース１０を覆っていない）状態では、購入者は、商品を目視することができ、薬剤師等に相談して商品を購入することができる。また、スライドパネル２５が移動している（陳列ケース１０を覆っている）状態では、購入者は、スライドパネル２５によって商品を目視することができず、かつ、陳列ケース１０の構造によって商品を手に取ることができないので、購入者が商品を購入することができないようにすることができる。
【００３７】
他方、本発明の第１の実施の形態に係る商品遮蔽装置２２によれば、商品の陳列部分を開閉可能な開閉扉１２で覆い、この開閉扉１２を通して陳列した商品が購入者から目視可能に形成され、かつ、購入者がこれらの商品を取り出せないように鍵１５によって施錠できるように構成された陳列ケース１０の側方に配置され、陳列ケース１０と購入者との間に介在する態様で移動可能であり、移動した状態で陳列ケースの商品が購入者から目視できないように陳列ケース１０を覆うスライドパネル２５を備えているので、既存の陳列ケース１０の横に商品遮蔽装置２２を設置して、スライドパネル２５をスライド移動させることによって、購入者が商品を購入するのを制限することができる。
【００３８】
また、本願発明の商品陳列棚装置１または商品遮蔽装置２２によれば、スライドパネル２５が移動していない状態におけるスライドパネル２５と購入者との間に、他の商品を陳列可能な固定商品棚３１を設けているので、商品遮蔽装置２２を固定商品棚３１で覆い隠すことができる。これにより、商品遮蔽装置２２を設けていても、意匠性に優れた商品陳列棚装置を提供することができる。
【００３９】
この場合、商品陳列棚装置１の近傍に、より多くの商品を陳列することができるというメリットもある。特に、改正された薬事法では、「指定第二類医薬品を陳列する場合には、情報提供するための設備から７メートル以内の範囲に陳列すること。ただし、かぎをかけた陳列設備に陳列する場合又は指定第二類医薬品を陳列する陳列設備から１．２メートル以内の範囲に購入者等が進入できないような措置がとられている場合は、この限りでない。」と規定されており、第二類医薬品の陳列スペースに制限がある。しかしながら、本願発明の商品陳列棚装置１では、陳列ケース１０の上面１１ａをレジカウンター（情報提供するための設備）として使用可能であることから、この固定商品棚３１に第二類医薬品を陳列することができる。これにより、第一類医薬品を陳列ケース１０の内部に陳列することで、第一類と第二類の医薬品の陳列スペースを明確に仕切ることができるとともに、これらの種類の医薬品を近いスペースで陳列することができるという効果も得られる。
【００４０】
さらに、本願発明の商品陳列棚装置１または商品遮蔽装置２２によれば、スライドパネル２５には、スライドパネル２５が陳列ケース１０を覆った状態でスライドパネル２５と購入者とが対峙する部分に、商品の販売を制限する旨の注意喚起表示５０が記載されているので、購入者は、今は商品を購入することができないことを認識することになり、販売員が商品購入者に対して別途説明を行う手間が省けることになる。
【００４１】
以上、本発明の第１の実施の形態に係る商品陳列棚装置１及び商品遮蔽装置２２について述べたが、本発明は既述の実施形態に限定されるものではなく、本発明の技術思想に基づいて各種の変形および変更が可能である。
【００４２】
（第１の変形例）
図４は、本発明の他の実施形態の商品陳列棚装置１０１及び商品遮蔽装置１２２を示す概要図である。この図４に示す構成では、商品遮蔽装置２２の構造が異なること以外は上述の第１実施形態の構造と同じである。そのため、商品遮蔽装置１２２についてのみ説明し、他の構成についての説明は省略する。なお、図４において簡略化のために、サイドケース２０ａのみが陳列ケース１０の左側に配置されている状態を示す。
【００４３】
この商品遮蔽装置１２２は、第１実施形態で示したスライドパネル２５と固定商品棚３１とか一体にスライドする可動商品棚１３１（遮蔽部材）として構成されている。すなわち、可動商品棚１３１がスライドしていない状態では、陳列ケース１０の側方に商品棚がある態様であり、スライドした状態では、商品棚が陳列ケース１０のガラス棚１４の前に移動して陳列ケース１０を覆い、購入者が陳列ケース１０の内部の商品を目視できないようになっている。
【００４４】
なお、可動商品棚１３１は、陳列ケース１０の左右の両側にあり、両方が移動して陳列ケース１０を覆い隠す構造であってもよく、陳列ケース１０の左側（或いは右側）のみにあり、１つの可動商品棚１３１で陳列ケース１０を覆い隠す構造であってもよい。
【００４５】
この商品遮蔽装置１２２は、サイドケース２０ａの本体部２１の前面に着脱可能に取り付けられている。この商品遮蔽装置１２２を取り外した状態では、商品購入者からは本体部２１の前面（例えば、化粧パネルで構成された前面）が見えるようになる。
このように、商品遮蔽装置１２２をサイドケース２０ａと着脱可能に構成することにより、例えば、既にある既存の陳列ケース１０の横にサイドケース２０ａ或いは商品遮蔽装置１２２を設けるだけで、本発明の実施形態に係る商品陳列棚装置１０１を構成することができるようになる。
【００４６】
（第２の変形例）
図５は、本発明の他の実施形態の商品陳列棚装置２０１及び商品遮蔽装置２２２を示す概要図である。この図５に示す構成では、商品遮蔽装置２２の構造が異なること以外は上述の第１実施形態の構造と同じである。そのため、商品遮蔽装置２２２についてのみ説明し、他の構成についての説明は省略する。なお、図５において簡略化のために、サイドケース２０ａのみが陳列ケース１０の左側に配置されている状態を示す。
【００４７】
この商品遮蔽装置２２２は、第１実施形態で示したスライドパネル２５に相当する回動パネル２２５（遮蔽部材）が蝶板２２６を中心に回動するように構成されている。より詳細には、回動パネル２２５は、回動していない状態では、サイドパネル２０ａの前面を覆う態様で位置し、回動した状態では、回動パネル２２５が陳列ケース１０のガラス棚１４の前に移動して陳列ケース１０を覆い、購入者が陳列ケース１０の内部の商品を目視できないようになっている。
【００４８】
なお、回動パネル２２５は、陳列ケース１０の左右の両側にあり、両方が回動して陳列ケース１０を覆い隠す構造であってもよく、陳列ケース１０の左側（或いは右側）のみにあり、１つの回動パネル２２５で陳列ケース１０を覆い隠す構造であってもよい。
【００４９】
この商品遮蔽装置２２２は、サイドケース２０ａの本体部２１の前面に着脱可能に取り付けられている。この商品遮蔽装置２２２を取り外した状態では、商品購入者からは本体部２１の前面（例えば、化粧パネルで構成された前面）が見えるようになる。
このように、商品遮蔽装置２２２をサイドケース２０ａと着脱可能に構成することにより、例えば、既にある既存の陳列ケース１０の横にサイドケース２０ａ或いは商品遮蔽装置１２２を設けるだけで、本発明の実施形態に係る商品陳列棚装置２０１を構成することができるようになる。
【００５０】
［第２実施形態］
以下、本発明の第２の実施の形態に係る商品陳列棚装置３０１及び商品遮蔽装置３２２について、図６を用いて詳細に説明する。
商品陳列棚装置３０１は、図６に示すように、第一類医薬品等の販売条件付商品を陳列するための商品陳列棚３１０と、商品購入者から見て商品陳列棚３１０の左右両側に配置されたサイドケース３２０ａ、３２０ｂとで構成されている。
【００５１】
商品陳列棚３１０は、商品陳列棚３１０の筐体部分を構成する略直方体形状の本体部３１１と、商品購入者と対峙する前側部分が透明な開閉扉３１２とを備えている。
本体部３１１は、その内部に陳列スペース３１３が形成されている。この陳列スペース３１３には、空間を上下に仕切るガラス棚３１４が設けられている。このガラス棚３１４の上には商品が陳列され、この商品の陳列部分が開閉扉３１２によって覆われることになる。
【００５２】
また、商品陳列棚３１０の後側は、薬剤師や販売員が待機する場所となっており、基本的に購入者が入り込めないようになっている。さらに、本体部３１１の上面３１１ａは平面状に形成されており、商品購入者が販売者から商品説明を受けるときなどに利用するレジカウンターとして使用可能である。
【００５３】
開閉扉３１２は、２枚の透明なガラス板がスライドして開閉可能に形成されている。これにより、商品購入者が陳列スペース３１３内に陳列された商品を見ることができ、かつ、この開閉扉３１２を開くことで、商品を自由に取り出すことができるようになっている。
【００５４】
なお、本明細書でいう「商品陳列棚」とは、購入者が商品を自由に見ることができ、かつ、商品を自由に取り出せる構造のものをいい、第１実施形態における「陳列ケース」とは、鍵１５（図１参照）が無い点で異なる。また、上述した商品陳列棚３１０の構造は、本実施例における一例である。例えば、透明な開閉扉３１２は、陳列した商品が購入者から目視可能に形成し、かつ、商品を取り出すことのできる構造の一例であり、この開閉扉３１２が無いものであってもよい。
【００５５】
また、上述した透明な開閉扉３１２の前面には、図６に示すように、商品購入者に対して、注意を喚起するための注意喚起表示３６０が付されている。この注意喚起表示３６０は、例えば、「こちらの医薬品をお買い求めの際は、お近くの薬剤師までご相談下さい。」などの文言を表示するものである。これにより、購入者は、商品を購入するに当たり、薬剤師に相談すべきことを認識することになる。
【００５６】
サイドケース３２０ａ，３２０ｂは、商品陳列棚３１０を挟んで左右対称に形成されている。なお、以下の説明については、左側のサイドケース３２０ａについてのみ説明し、右側のサイドケース３２０ｂについては左側と同じ構造であるため説明を省略する。
【００５７】
サイドケース３２０ａは、略直方体形状の本体部３２１と、この本体部３２１の前側部分に取り付けられた商品遮蔽装置３２２（商品遮蔽部）とを備えている。
本体部３２１の上面３２１ａは、商品陳列棚３１０の本体部３１１と同様に平面状に形成されており、レジカウンター等として使用可能である。また上面３２１ａには、レジやパソコン画面などが購入者側から見えないようにするための半透明のカバー３２３が設けられている。
【００５８】
商品遮蔽装置３２２は、スライドパネル３２５が異なる以外は、フロントパネル３２６、棚板３２７、目隠し板３２８等の他の構造は第１実施例における商品遮蔽装置２２と同じである。ゆえに、以下の説明では、スライドパネル３２５の説明のみを行い、その他の構造については省略する。
なお、スライドパネル３２５のスライド構造（第１実施例の固定パネル２４、スライドレール受け２４ａ、スライドレール２５ａ）は、上述の第１実施形態の構造と同じである。
【００５９】
スライドパネル３２５の大きさは、スライドパネル３２５をスライドさせた状態（第１実施例の図２参照）で、商品陳列棚３１０の前側の全面を覆うように形成されている。より詳細には、スライドパネル３２５と商品陳列棚３１０との間から、購入者が商品を取り出すことができない程度の隙間しか開かない大きさに形成されている。
【００６０】
また、スライドパネル３２５は、不透明な板状部材で構成されている。このスライドパネル３２５をスライドさせた状態では、商品陳列棚３１０に陳列された商品が購入者から目視できないようになっている。また、スライドパネル３２５には、スライドさせた位置でスライドパネル３２５を固定し、購入者がスライドパネル３２５を開けないようにするための施錠手段（図示せず）が設けられている。
【００６１】
さらに、スライドパネル３２５は、ある程度の剛性を有するものである。この剛性は、購入者がスライドパネル２５を人の力によって曲げようとしても変形せず、または変形したとしても、商品陳列棚３１０の商品を購入者が取り出すことができない程度の隙間しか開かないように形成されている。そのため、商品陳列棚３１０のガラス棚３１４には、第１実施形態で設けた鍵１５（図１参照）のような施錠機能をもたせなくてもよい。
【００６２】
これらにより、スライドパネル３２５をスライドさせた状態では、スライドパネル３２５は、商品陳列棚３１０の前側の全面を覆って商品を目視できないようにすると共に、購入者がスライドパネル３２５に力を加えて変形させて、商品陳列棚３１０から商品を自由に取り出すことができないようにしている。
【００６３】
スライドパネル３２５の前面、すなわち、このスライドパネル３２５をスライドさせたときに商品購入者が目視できる面（第１実施形態のスライドパネル２５と同じ。図２参照）には、商品購入者に対して、注意を喚起するための注意喚起表示（第１実施形態の注意喚起表示５０と同じ。図２参照）が付されている。この注意喚起表示は、例えば、「只今薬剤師不在の為、こちらの医薬品は現在販売休止中です。」などの文言を表示するものである。
【００６４】
この商品遮蔽装置３２２は、サイドケース３２０ａの本体部３２１の前面に着脱可能に取り付けられている。この商品遮蔽装置３２２を取り外した状態では、商品購入者からは本体部３２１の前面（例えば、化粧パネルで構成された前面）が見えるようになる。
このように、商品遮蔽装置３２２をサイドケース３２０ａと着脱可能に構成することにより、例えば、既に商店等に設置してある既存の商品陳列棚３１０の横に商品遮蔽装置３２２を有するサイドケース３２０ａを設置するだけで、本発明の実施形態に係る商品陳列棚装置３０１を構成することができるようになる。また、商品陳列棚３１０およびサイドケース３２０ａが既に設置してある商店等では、サイドケース３２０ａに商品遮蔽装置３２２を設置するだけで、本発明の実施形態に係る商品陳列棚装置３０１を構成することができるようになる。
【００６５】
本発明の第２の実施の形態に係る商品陳列棚装置３０１によれば、商品の陳列部分を開閉可能な開閉扉３１２で覆い、この開閉扉３１２を通して陳列した商品が購入者から目視可能に形成され、かつ、購入者がこれらの商品を自由に取り出せるように構成された商品陳列棚３１０を備える一方、陳列した商品が購入者から目視できないようにスライドパネル３２５が商品陳列棚３１０の側方からスライド移動して商品陳列棚３１０を覆う商品遮蔽装置３２２を設けているので、スライドパネル３２５が移動していない（商品陳列棚３１０を覆っていない）状態では、購入者は、商品を目視することができ、薬剤師等に相談して商品を購入することができる。また、スライドパネル３２５が移動している（商品陳列棚３１０を覆っている）状態では、購入者は、商品を目視することができず、かつ、商品を手に取ることができないので、購入者が商品を購入することができないようにすることができる。
【００６６】
他方、本発明の第２の実施の形態に係る商品遮蔽装置３２２によれば、商品を陳列して販売するための商品陳列棚３１０の側方に配置され、商品陳列棚３１０と購入者との間に介在する態様で移動可能であり、移動した状態で商品陳列棚３１０の商品が購入者から目視できないように商品陳列棚３１０を覆うと共に商品陳列棚３１０から購入者が商品を取り出せないようにするスライドパネル３２５を備えているので、既存の商品陳列棚３１０の横に商品遮蔽装置３２２を設置して、スライドパネル３２５を移動させることによって、購入者が商品を購入するのを制限することができる。
【００６７】
また、本願発明の商品陳列棚装置３０１または商品遮蔽装置３２２によれば、スライドパネル３２５が移動していない状態におけるスライドパネル３２５と購入者との間に、他の商品を陳列可能な固定商品棚３２７を設けているので、商品遮蔽装置３２２を固定商品棚３２７で覆い隠すことができる。これにより、商品遮蔽装置３２２を設けていても、意匠性に優れた商品陳列棚装置３０１を提供することができる。
【００６８】
この場合、第１実施例に記載したように、商品陳列棚装置３０１の近傍に第二類医薬品等を陳列し、第一類医薬品と明確に区別して、かつ近いスペースで販売することができるというメリットもある。
【００６９】
さらに、本願発明の商品陳列棚装置３０１または商品遮蔽装置３２２によれば、スライドパネル３２５には、スライドパネル３２５が商品陳列棚３１０を覆った状態でスライドパネル３２５と購入者とが対峙する部分に、商品の販売を制限する旨の注意喚起表示３６０が記載されているので、購入者は、今は商品を購入することができないことを認識することになり、販売員が商品購入者に対して別途説明を行う手間が省けることになる。
【００７０】
以上、本発明の第２の実施の形態に係る商品陳列棚装置１及び商品遮蔽装置２２について述べたが、本発明は既述の実施形態に限定されるものではなく、本発明の技術思想に基づいて各種の変形および変更が可能である。
【００７１】
例えば、第１実施例で説明した、第１の変形例または第２の変形例のように、スライドパネル３２５を、回動パネル或いは可動商品棚に置き換えて構成することもできる。
【符号の説明】
【００７２】
１、３０１  商品陳列棚装置
１０、３１０  陳列ケース
１１、３１１  本体部
１１ａ、３１１ａ  上面
１２、３１２  開閉扉
１３、３１３  陳列スペース（陳列部分）
１４、３１４  ガラス棚
１５  鍵
２０ａ、２０ｂ、３２０ａ、３２０ｂ  サイドケース
２１、３２１  本体部
２１ａ、３２１ａ  上面
２２、３２２  商品遮蔽装置（商品遮蔽部）
２３、３２３  カバー
２４  固定パネル
２４ａ  スライドレール受け
２５、３２５  スライドパネル（遮蔽部材）
２５ａ  スライドレール
２６  フロントパネル
２７  棚板
２７ａ  フック
２８  目隠し板
２９、３０  ねじ部材
３１  固定商品棚
５０、６０  注意喚起表示
１０１  商品陳列棚装置
１２２  商品遮蔽装置
１３１  可動商品棚（遮蔽部材）
２０１  商品陳列棚装置
２２２  商品遮蔽装置
２２５  回動パネル（遮蔽部材）
２２６  蝶板
【図１】
2011067272.tif 000003
【図２】
2011067272.tif 000004
【図３】
2011067272.tif 000005
【図４】
2011067272.tif 000006
【図５】
2011067272.tif 000007
【図６】
2011067272.tif 000008